(57)【要約】【課題】利用者の不安や焦りを削減することができるエレベータ表示装置を提供する。【解決手段】建物内の各階床に、エレベータの目的階を登録するとともに、エレベータに関する情報を表示する目的階登録装置３０を各々設け、それら目的階登録装置３０をインターフェース４０を介してエレベータ制御装置４１と接続する。エレベータ制御装置４１は、目的階登録装置３０で登録された目的階登録情報に基づいて、前記登録に対応するのに最適なエレベータを割り付けるとともに、該割り付けられたエレベータが前記登録の行われた階に到着できる予測待ち時間を演算し、それらエレベータ割り付け情報および予測待ち時間情報を前記目的階登録装置３０に送出して表示させる。【選択図】図１
2007191263.tif 000002
【特許請求の範囲】
【請求項１】
エレベータの目的階を登録する登録操作部と、エレベータに関する情報を表示する表示部とを備えた目的階登録装置と、
前記目的階登録装置で登録された目的階登録情報に基づいて、前記登録に対応するのに最適なエレベータを割り付けるとともに、該割り付けられたエレベータが前記登録の行われた階に到着できる予測待ち時間を演算し、それらエレベータ割り付け情報および予測待ち時間情報を前記目的階登録装置に送出して表示させるエレベータ制御装置とを具備したことを特徴とするエレベータ表示装置。
【請求項２】
前記エレベータ制御装置は、前記割り付けられたエレベータが、前記予測待ち時間内に、前記登録が行われた階に到着した場合、該到着時刻から予測待ち時間満了時刻まで当該エレベータを待機させることを特徴とする請求項１に記載のエレベータ表示装置。
【請求項３】
前記目的階登録装置の表示部は、前記予測待ち時間の余裕度に応じて表示色を変えて表示することを特徴とする請求項１又は２に記載のエレベータ表示装置。
【発明の詳細な説明】
【技術分野】
【０００１】
本発明は、エレベータが到着するまでの時間を表示するエレベータ表示装置に関する。
【背景技術】
【０００２】
近年のエレベータにおいては、利用者が目的階（行先階）を登録（入力）したときに、その目的階に出発する乗車すべきエレベータを表示して案内する目的階登録装置が、乗り場付近に設置されるようになってきた。そしてその案内されたエレベータに乗車すればそのエレベータは自動でかご呼びが登録されており、目的階まで操作無しで移動することができるように構成されている。
【０００３】
すなわち例えば下記特許文献１には、利用者を、割り当てられたかごへ分かりやすく誘導することが記載されている。
【特許文献１】特開２００１−３４８１７０号公報
【発明の開示】
【発明が解決しようとする課題】
【０００４】
前記目的階登録装置は、建物内で例えば図８（ａ）のように設置されることが考えられる。図８（ａ）は建物内のある階床の平面を表し、エレベータホールにはＡ号機〜Ｆ号機のエレベータが設置されている。目的階登録装置１０は、エレベータホールのＢおよびＣ号機の間、ＥおよびＦ号機の間に各々設置され、さらに、所定距離離れた場所から利用者をエレベータホールに導くために床に描かれた導線２０ａ，２０ｂ上に各々設置される。
【０００５】
目的階登録装置１０は、図８（ｂ），（ｃ）に示すように、テンキーにより目的階を登録する登録操作部１１とエレベータの情報を表示する表示部１２を有している。
【０００６】
例えば利用者がテンキーを操作して図８（ｂ）のように目的階２５階を登録（入力）すると、図８（ｃ）に示すように、目的階２５階と、乗車すべきエレベータである「Ａ号機」と、移動方向「左方向へ」とが表示部１２に表示される。
【０００７】
ここで、利用者がエレベータからある程度距離の離れた場所の、例えば導線２０ａ上に設けられた目的階登録装置１０により目的階を登録（入力）した場合、図８（ｃ）のように表示案内されたエレベータ（Ａ号機）の前まで移動する間に、「もうエレベータが到着し、出発してしまっているのではないか」といった不安や焦りを抱くことが考えられる。
【０００８】
そして、前記表示案内されたエレベータ（Ａ号機）の前まで移動したとき、仮にエレベータが既に出発してしまっていた場合には、利用者は、目的階登録装置１０によって再度目的階を登録する必要がある。
【０００９】
したがってエレベータから所定距離離れた場所に目的階登録装置を設置する場合には、エレベータの前まで移動する利用者の不安などを削減する必要があると考えられる。
【００１０】
本発明は上記課題を解決するものであり、利用者の不安や焦りを削減することができるエレベータ表示装置を提供することを目的としている。
【課題を解決するための手段】
【００１１】
上記課題を解決するための本発明のエレベータ表示装置は、エレベータの目的階を登録する登録操作部と、エレベータに関する情報を表示する表示部とを備えた目的階登録装置と、前記目的階登録装置で登録された目的階登録情報に基づいて、前記登録に対応するのに最適なエレベータを割り付けるとともに、該割り付けられたエレベータが前記登録の行われた階に到着できる予測待ち時間を演算し、それらエレベータ割り付け情報および予測待ち時間情報を前記目的階登録装置に送出して表示させるエレベータ制御装置とを具備したことを特徴としている。
【００１２】
また前記エレベータ制御装置は、前記割り付けられたエレベータが、前記予測待ち時間内に、前記登録が行われた階に到着した場合、該到着時刻から予測待ち時間満了時刻まで当該エレベータを待機させることを特徴としている。
【００１３】
また前記目的階登録装置の表示部は、前記予測待ち時間の余裕度に応じて表示色を変えて表示することを特徴としている。
【発明の効果】
【００１４】
（１）請求項１〜３に記載の発明によれば、割り付けられたエレベータがどのくらいの待ち時間後に到着するかを、目的階を登録したときに認識することができ、利用者の不安や焦りを削減することができる。
（２）請求項２に記載の発明によれば、予測待ち時間内であれば確実に乗車することができ、これによって目的階登録を再度行う必要はなくなる。また利用者は予測待ち時間に合わせて安心して乗り場まで移動することができる。
（３）請求項３に記載の発明によれば、表示色に応じて、エレベータが到着するまでの余裕度を直感的に理解することができる。
【発明を実施するための最良の形態】
【００１５】
以下、図面を参照しながら本発明の実施の形態を説明するが、本発明は下記の実施形態例に限定されるものではない。図１は本発明の一実施形態例の全体構成を示し、建物内の各階の断面の様子を表している。
【００１６】
図１において、３０は各階の乗り場および乗り場付近に各々設置された目的階登録装置であり、この目的階登録装置３０はインターフェース４０を介してエレベータ制御装置４１に接続されている。
【００１７】
エレベータ制御装置４１は、建物内の全てのエレベータを管理しており、目的階登録装置３０により目的階が登録されると、登録された情報から、最適なエレベータの割り付けを行う（最短時間で目的階に運ぶことができるエレベータかごを割り当てる）とともに、そのときのエレベータの状況と今後予想される事象を考慮に入れた待ち時間を計算し、目的階登録装置３０を通して利用者に知らせる。
【００１８】
このエレベータ制御装置４１は、より具体的には例えば図２に示すように、群管理装置４２と、これにバス４３を介して接続された各エレベータの制御盤４４ａ，４４ｂ、４４ｃとで構成されている。
【００１９】
尚図２において図１と同一部分は同一符号をもって示しており、図１および図２において、実線の矢印は目的階登録情報の流れを示し、破線の矢印は予測待ち時間情報、割り付け情報の流れを示している。
【００２０】
目的階登録装置３０は、図３（ａ），（ｂ）に示すように、テンキーにより目的階を登録する登録操作部３１と、目的階、エレベータ制御装置４１により割り付けられたエレベータの番号、エレベータ制御装置４１により演算された予測待ち時間等の情報を表示する表示部３２を有している。
【００２１】
例えば図３（ａ）のように、利用者がテンキーを操作して目的階２５階を登録（入力）すると、その目的階登録情報はインターフェース４０を介してエレベータ制御装置４１に送出される。
【００２２】
エレベータ制御装置４１では、その利用者に最適なエレベータの計算（割り付け）を行うと同時に、そのときのエレベータの状態や、この後予想される事象を考慮に入れ、エレベータが後どのくらいで利用者の居る階へ到着するかの予測待ち時間を計算し、それら予測待ち時間情報、割り付け情報を目的階登録装置３０に送出し、表示させる。
【００２３】
このため目的階登録装置３０の表示部３２には、図３（ｂ）に示すように、目的階２５階（２５Ｆ）と、割り付けられたエレベータである「Ａ号機」と、「後、約２０秒で到着します」との表示がなされる。この表示により、利用者は安心して乗り場まで移動することができる。
【００２４】
特に、目的階登録装置３０が、エレベータホールから離れた、例えば図８に示す導線２０ａ上に設置され、該目的階登録装置３０により登録を行った場合でも、利用者は予測待ち時間に応じて余裕を持ってエレベータ前まで進むことができる。
【００２５】
図４は本実施形態例における、エレベータ制御装置４１が行う予測待ち時間の計算方法の一例を表し、６階、４階で下方向利用者が存在し、エレベータが８階から下方向走行中に、新規にロビー階にて利用者が発生した場合を示している。
【００２６】
図４において、例えば１階床走行するのに必要な時間が２秒、１回の乗り場呼びを処理するのに５秒必要と仮定すると、８階に存在するエレベータがロビー階に到着するためには最低１４秒が必要となり、さらに、６階、４階の乗り場呼びをサービスするため１０秒必要になるため、合計で２４秒と予測でき、これを新規利用者へ通知する。
【００２７】
また、目的階登録装置３０の表示部３２で表示される各種情報は、利用者にとって視覚的に分かりやすくするため、エレベータ到着までの予測待ち時間を数字ではなく描画や色でおおよその予測時間を表現することもできる。
【００２８】
すなわち、例えば図５（ａ）は図３（ｂ）と同様に数字で表示しているが、図５（ｂ）のようにブロックを並べて表示するか、又は図５（ｃ）のように時計描画により表示する。
【００２９】
また、エレベータ到着までの余裕度（予測待ち時間の余裕度）に応じて例えば図６のように表示色を変更しても良い。すなわち予測待ち時間を表示する代わりに、図６（ａ）のように充分余裕がある場合は緑色表示し、図６（ｂ）のように急ぐよう促す場合は赤色表示し、図６（ｃ）のように少々急ぐよう促す場合はオレンジ色表示する。このように表示すれば利用者は、色によって直感的にエレベータ到着までの余裕度を理解することができる。
【００３０】
さらに、図７に示すように、図５の到着までの時間表示と、図６の色による余裕度表示とを組み合わせて表現しても良い。
【００３１】
また、エレベータ制御装置４１は、もし目的階登録装置３２で表示した予測待ち時間よりも早くエレベータが到着しても、戸開のまま表示した時間までその階に待機するように制御を行う。このように制御すれば、利用者は予測待ち時間内であれば確実に乗車することができ、これによって目的階登録を再度行う必要はなくなる。また利用者は予測待ち時間に合わせて安心して乗り場まで移動することができる。
【図面の簡単な説明】
【００３２】
【図１】本発明の一実施形態例を示す全体構成図。
【図２】本発明の一実施形態例の具体的な構成図。
【図３】本発明の一実施形態例における目的階登録装置の正面図。
【図４】本発明の一実施形態例における予測待ち時間の計算例を表す説明図。
【図５】本発明の一実施形態例における予測待ち時間の表示例を示す説明図。
【図６】本発明の他の実施形態例における余裕度の表示例を示す説明図。
【図７】本発明の他の実施形態例における予測待ち時間および余裕度の表示例を示す説明図。
【図８】従来のエレベータ表示装置の一例を表し、（ａ）は建物内での目的階登録装置設置例を示す見取り図、（ｂ）、（ｃ）は目的階登録装置の表示面の正面図。
【符号の説明】
【００３３】
２０ａ，２０ｂ…導線、３０…目的階登録装置、３１…登録操作部、３２…表示部、４０…インターフェース、４１…エレベータ制御装置、４２…群管理装置、４３…バス、４４ａ〜４４ｃ…制御盤。
【図１】
2007191263.tif 000003
【図２】
2007191263.tif 000004
【図３】
2007191263.tif 000005
【図４】
2007191263.tif 000006
【図５】
2007191263.tif 000007
【図６】
2007191263.tif 000008
【図７】
2007191263.tif 000009
【図８】
2007191263.tif 000010